(57)【要約】      （修正有）【課題】被包装物を買い物客に対して見栄えよく陳列することができ、かつ額縁としても使用できる包装用箱を提供する。【解決手段】包装用箱１は、被包装物を包装するとともに、額縁としても使用でき、被包装物の四方外周を包囲する周壁を備え、被包装物を収容することができ、一の該周壁にスリット１１を長さ方向に設け、さらにスリット１１から周壁内周に溝１３を備える枠本体１０と、スリット１１を介して溝１３に収納され、被包装物を保持するとともに少なくとも一面に絵画又は写真を載置して表示する背板２０と、周壁により形成される一方の開口１４ａを閉鎖する蓋体とを備える。【選択図】図１
0003202468.tif 000002
【実用新案登録請求の範囲】
【請求項１】
被包装物を包装するとともに、額縁としても使用できる包装用箱であって、
前記被包装物の四方外周を包囲する周壁を備え、前記被包装物を収容する枠本体であって、一の該周壁にスリットを長さ方向に設け、さらに、前記スリットから周壁内周に溝を備える枠本体と、
前記スリットを介して前記溝に収納され、前記被包装物を保持するとともに少なくとも一面に絵画又は写真を載置して表示する背板と、
前記周壁により形成される一方の開口を閉鎖する蓋体と、
を備えることを特徴とする包装用箱。
【考案の詳細な説明】
【技術分野】
【０００１】
本考案は、額縁の機能を備えた包装用箱に関する。
【背景技術】
【０００２】
観光地等の土産物店では、地域ゆかりの種々の土産物が包装箱と包装紙とからなるパッケージに収容されて販売されている。土産物店を訪れた買い物客は、陳列された土産物の包装紙に印刷された絵や写真を見比べながら、土産物を物色し購入することが多いことから、土産物業者は、パッケージデザインを工夫することにより、自店の土産物を購入してもらおうと努めている。しかしながら、このようなパッケージデザインのみで他店の土産物と差別化を図ることは容易ではない。
【０００３】
包装用箱については、従来から、贈答用のハンカチやスカーフ等を高級化して見せることを目的等として、上方開口を有するように底壁と周壁とから構成された箱ベースと、この箱ベースの上方開口を閉成するようにインロー方式等で重ね合わされる蓋体と、を少なくとも備えた包装用パッケージに収納されることがある。この際、包装用パッケージ内には、内容展示時等での内容商品の見栄えをより一層向上するために、フレームの裏面側（内容商品側）から窓部を閉成する透明フィルムを貼り付ける等して、より高級感を引き出すように工夫されている。なお、このような包装用パッケージは、内容商品を取り出した使用後においては、直ちに廃棄されるのが通例である。
【０００４】
額縁の機能を備えた包装容器は、種々提案されている。特許文献１に係る考案は、底板を有した容器本体と、この容器本体に対して外嵌し、側縁部を除く中央部位が開口状態とされた蓋体と、を備え、容器本体の底板内面に載置用の脚部を設けた構成とされている。この特許文献１は、容器本体の底板内面を外側に向けて脚部を露出状態とし、容器本体の天板外面と蓋体との間に表示板を挟み込み、前記脚部により載置して装飾表示するものである。特許文献２に係る発明は、底板を有した容器本体と、この容器本体に対して外嵌する蓋体と、蓋体に内嵌され、側周面と連続する天板の中央部位が開口状態とされると共に底板が省略されたフレームと、を備え、この容器本体の底板の一部に切り込みが形成されて、該切り込みによって底板の一部を展開することで現れる脚部を有した構成とされている。この特許文献２は、蓋体を外し、フレームから容器本体内の内容物を露出させ、脚部を容器本体の底板から展開して載置して装飾表示するものである。特許文献３に係る考案は、内容物を包装すると共に、この内容物を装飾することができる包装容器兼用額縁体であって、底板とこの底板の四方側縁部に連続して立設された側面部でなる上方が開口した容器本体と、この容器本体の一つの側面部の底板側との連続部位に設けられると共に前記開口を開閉可能とし、かつ該容器本体に対して開口した際には該容器本体を支持する脚として機能する蓋部と、を備え、前記容器本体に内容物を収納した際には該内容物を固定し、蓋部が脚として機能する際には該蓋部の脚としての位置を固定する帯を設けたことを最も主要な特徴とする。
【先行技術文献】
【特許文献】
【０００５】
【特許文献１】実開平５−６１０７６号公報
【特許文献２】特開２０１０−１８９０４９号公報
【特許文献３】登録実用新案第３１７４８６７号公報
【考案の概要】
【考案が解決しようとする課題】
【０００６】
しかしながら、特許文献１の考案は、蓋体に開口を備えるため、容器本体と蓋体により被包装物が外部に露出するため包装が不十分になるという問題がある。特許文献２及び３の発明及び考案は、包装容器としては十分機能するものの、額縁としては見栄えが悪く、長期間の使用には耐えられないという問題がある。
【０００７】
本考案は、このような問題に鑑み、被包装物を買い物客に対して見栄えよく陳列することができ、かつ額縁としても使用できる包装用箱を提供することを目的とする。
【課題を解決するための手段】
【０００８】
本考案に係る包装用箱は、被包装物を包装するとともに、額縁としても使用でき、被包装物の四方外周を包囲する周壁を備え、被包装物を収容することができ、一の該周壁にスリットを長さ方向に設け、さらに設けられたスリットから周壁内周に溝を備える枠本体と、スリットを介して溝に収納され、被包装物を保持するとともに少なくとも一面に絵画又は写真を載置して表示する背板と、周壁により形成される一方の開口を閉鎖する蓋体とを備えることを特徴とする。
【考案の効果】
【０００９】
本考案に係る包装用箱によれば、お土産品等被包装物を見栄えよく陳列できる効果とともに、差し替え自在な仕組みの額縁や写真立てとして再利用することができるという効果がある。
【図面の簡単な説明】
【００１０】
【図１】本考案に係る包装用箱の後方から見た分解斜視図である。
【図２】本考案に係る包装用箱の前方から見た分解斜視図である。
【図３】本考案に係る包装用箱の正面図（ａ）と背面図（ｂ）である。
【図４】本考案に係る包装用箱の背面図中央横断面図である。
【考案を実施するための最良の形態】
【００１１】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１２】
実施例１を図面を参照して詳細に説明する。
【００１３】
図１は、本考案に係る包装用箱の後方から見た分解斜視図で、図２は本考案に係る前方から見た分解斜視図である。そして、図３は、本考案に係る包装用箱の正面図（ａ）と背面図（ｂ）である。図１ないし３に示すとおり、包装用箱１は、概して、枠本体１０と、背板２０と、蓋体３０とからなる。枠本体１０は、絵画Ｙや写真等表示物を収納するときに絵画等を挿入する絵画取出口となるスリット１１を穿設して、スリット１１から挿入された絵画等を保持する溝１３を枠本体１０の内周壁に設けている。また、枠本体１０は、いったん挿入した絵画Ｙ等が飛び出さないように留め具１２を、スリット１１が設けられた一の外壁に備えるとよい。図１に示すとおり、背板２０は、スリット１１を介して、溝に載置される。背板２０は、文字どおり絵画Ｙ等の背板になると同時に、後述する被包装物Ｘ（お土産品等）を収納して保持する底板ともなるので便利である。なお、枠本体１０は、木製、樹脂製、金属製等で形成すればよく、また四つの角材を接着して形成してもよいし、一体成形により形成してもよい。なお、大きさは任意であるが、卓上額縁又は写真立てとして使用する場合は、横置き又は縦置きで倒れない幅の寸法を選択するとよい。背板２０もまた、木製、樹脂製、金属等を矩形の平板として形成すればよい。
【００１４】
図２を参照する。図２に示すとおり、蓋体３０は、正面部３１と側壁部３２ａ、３２ｂ、３２ｃ、３２ｄとからなり、透明又は半透明のシート体を屈曲し、側壁３２ａ、３２ｂ、３２ｃ、３２ｄがそれぞれ隣接した角部に切れ目を入れる。なお、蓋体３０の正面部３１の寸法は、枠本体１０の開口の寸法と略同一とし、各側壁３２ａ、３２ｂ、３２ｃ、３２ｄは側壁端をやや外向きにするとよい。すなわち、枠本体１０の正面側の開口１４ａから被包装物Ｘを収納した後に、蓋体３０の各側壁３２ａ、３２ｂ、３２ｃ、３２ｄを差し入れると、側壁３２ａ、３２ｂ、３２ｃ、３２ｄが開口壁に当接し係止することができる。なお、蓋体３０は、透明又は半透明の樹脂等を用いることができる。
【００１５】
図３を参照する。図３（ａ）は、正面側から見た包装用箱１を示しており、透明又は半透明の蓋体３０を介して、被包装物Ｘ（お土産品等）を表示することができる。一方、図３（ｂ）は、背面側から見た包装用箱１を示し、絵画Ｙや写真等を挿入することで、包装用箱１は額縁として機能することが理解できるであろう。
【００１６】
図４を参照する。図４は、本考案に係る包装用箱の背面図中央横断面図である。図４に示すとおり、右側面から見ると、枠本体１０は、内周面に溝１３を備えており、溝３に背板２０と表示したい絵画Ｙ等を係合保持するとともに、蓋体３０を係止することができる。
【００１７】
以上、本考案に係る包装用箱における好ましい実施形態を図示して説明してきたが、本考案の技術的範囲を逸脱することなく種々の変更が可能であることは理解されるであろう。
【産業上の利用可能性】
【００１８】
本考案に係る包装用箱は、包装用の箱のみならず額縁としても使用でき、記念品や贈答品（お土産品）の包装用箱として広く利用することができる。
【符号の説明】
【００１９】
１  包装用箱
１０  枠体
１１  スリット（絵画取出口）
１２  留め具
１３  溝
１４ａ  １４ｂ  開口
２０  背板
３０  蓋体
３１  正面部
３２ａ  ３２ｂ  ３２ｃ  ３２ｄ  側壁部
【図１】
0003202468.tif 000003
【図２】
0003202468.tif 000004
【図３】
0003202468.tif 000005
【図４】
0003202468.tif 000006